(57)【要約】【課題】電子写真とその撮影場所間の移動手段を表す情報とから電子写真アルバムを作成する際の作業性を向上させることができる電子写真アルバム作成支援装置を提供する。【解決手段】撮影場所を示す位置情報と撮影時刻を示す日時情報とを付属情報として電子写真を表す電子写真情報を読み取る読取手段と、２以上の電子写真情報の位置情報と日時情報とを用い、撮影場所間を移動する際に使われたであろうとする移動手段を推定するとともに、電子写真を表す情報と移動手段を表す情報とを互いに関連づけて配置する「取りうる移動手段を推定し、作成者に確定させる手段」７を具備している。【選択図】          図１
2005136604.tif 000002
【特許請求の範囲】
【請求項１】
撮影場所を示す位置情報と撮影時刻を示す日時情報とを付属情報として電子写真を表す電子写真情報を読み取る読取手段と、
２以上の電子写真情報の位置情報と日時情報とを用い、撮影場所間を移動する際に使われたであろうとする移動手段を推定する推定手段と、
電子写真を表す情報と移動手段を表す情報とを互いに関連づけて配置する配置手段と
を具備することを特徴とする電子写真アルバム作成支援装置。
【請求項２】
電子写真情報を撮影場所に基づいて分類する分類手段をさらに備え、
前記推定手段が、分類された１又は複数の電子写真情報を単位として移動手段を推定し、
前記配置手段が、分類結果に基づいて電子写真を表す情報を配置する
ことを特徴とする請求項１記載の電子写真アルバム作成支援装置。
【請求項３】
前記分類手段が、地名又はランドマークを基準として電子写真情報を分類する
ことを特徴とする請求項２記載の電子写真アルバム作成支援装置。
【請求項４】
前記移動手段を表す情報が、電子写真を表す情報の間に配置されるものであって、移動手段の種別を示す図形情報で構成されている
ことを特徴とする請求項１〜３のいずれか１項に記載の電子写真アルバム作成支援装置。
【請求項５】
前記推定手段が、移動前後の位置情報から求められる直線距離と日時情報から求められる移動時間とに基づいて移動手段を推定する
ことを特徴とする請求項１〜４のいずれか１項に記載の電子写真アルバム作成支援装置。
【請求項６】
前記推定手段が、移動前後の位置情報から求められる経路と日時情報から求められる移動時間とに基づいて移動手段を推定する
ことを特徴とする請求項１〜４のいずれか１項に記載の電子写真アルバム作成支援装置。
【請求項７】
前記推定手段が、通信回線を介して提供される２点間の移動経路を探索する移動経路探索手段を利用して移動手段を推定する
ことを特徴とする請求項１〜６のいずれか１項に記載の電子写真アルバム作成支援装置。
【請求項８】
撮影場所を示す位置情報と撮影時刻を示す日時情報とを付属情報として電子写真を表す電子写真情報を読み取る読取過程と、
２以上の電子写真情報の位置情報と日時情報とを用い、撮影場所間を移動する際に使われたであろうとする移動手段を推定する推定過程と、
電子写真を表す情報と移動手段を表す情報とを互いに関連づけて配置する配置過程と
を含むことを特徴とする電子写真アルバム作成支援方法。
【請求項９】
撮影場所を示す位置情報と撮影時刻を示す日時情報とを付属情報として電子写真を表す電子写真情報を読み取る読取過程と、
２以上の電子写真情報の位置情報と日時情報とを用い、撮影場所間を移動する際に使われたであろうとする移動手段を推定する推定過程と、
電子写真を表す情報と移動手段を表す情報とを互いに関連づけて配置する配置過程と
をコンピュータを用いて実行させるための記述を含むことを特徴とする電子写真アルバム作成支援プログラム。
【発明の詳細な説明】
【技術分野】
【０００１】
本発明は、電子写真と電子写真の撮影場所間の移動手段を表す情報とから電子写真アルバムを作成する際に用いて好適な電子写真アルバム作成支援装置及び方法に関する。
【背景技術】
【０００２】
旅行中の出来事を記録して旅行記にするのが一般的に行われている。このような旅行記の作成方法の従来例としては、特許文献１に提案されたような旅行シートに記録する方法がある。この方法によれば、旅行にかかわる諸事項を旅行シートに書き留めることで、旅行の行程や出来事を思い出し易くなる。しかし、この方法では、記録はすべて手書きで行わなければならない不便さがある。
【０００３】
近年、デジタルカメラで取った旅行写真をアルバムにまとめ、旅行の思い出として残すことが一般的に行われるようになってきた。このような旅行アルバムの作成方法の従来例としては、特許文献２に提案された方法がある。
【０００４】
特許文献２に記載された方法では、アルバムに地図を載せ、写真とその撮影場所とを線で繋ぐことで、写真とその撮影場所とが関連付けられる。これにより、旅行先となる撮影場所を思い出しやすくなる。しかし、この方法で作成されたアルバムでは、撮影場所の間の移動に使った交通手段といった旅行にかかわる事項が記録されるようにはなっていなかった。
【特許文献１】特開２００３−１６２２２０号公報
【特許文献２】特開平１０−１８１２４１号公報
【発明の開示】
【発明が解決しようとする課題】
【０００５】
旅行写真とともに旅行にかかわる事項を記録することで、写真アルバムは、旅行記の一つの形態として考えることができる。そのような写真アルバムを作成する際には、通常、作成者が旅行写真の撮影内容を判断しながら、旅行にかかわる事項の記録を行っている。そのため、撮影場所等の撮影内容に係る事項については、写真の内容から直接的に読み取れる場合が少なくないため、比較的容易に記録作業を行うことができる。しかし、撮影場所の間で移動に使った交通手段については、写真の内容から直接的に読み取れない場合が少なくないと考えられる。したがって交通手段等の移動手段を記録しようとした場合には、作成者（装置の使用者）が内容を決定するのに時間が掛かったり、他の方法を参照する必要があったりして記録作業が煩わしくなるときがあると考えられる。
【０００６】
本発明は、上記の事情を鑑みてなされたもので、電子写真とその撮影場所間の移動手段を表す情報とから電子写真アルバムを作成する際の作業性を向上させることができる電子写真アルバム作成支援装置及び方法を提供することを目的とする。
【課題を解決するための手段】
【０００７】
上記課題を解決するため、本発明は、撮影場所を示す位置情報と撮影時刻を示す日時情報とを付属情報として電子写真を表す電子写真情報を読み取る読取手段と、２以上の電子写真情報の位置情報と日時情報とを用い、撮影場所間を移動する際に使われたであろうとする移動手段を推定する推定手段と、電子写真を表す情報と移動手段を表す情報とを互いに関連づけて配置する配置手段とを具備することを特徴とする。この構成によれば、推定手段によって自動的に撮影場所間を移動する際に使われたであろうとする移動手段が推定されるので、移動手段を容易に決定し、電子アルバムに貼り付ける（埋め込むあるいは記録する）ことができる。ここで推定手段は、１つの移動手段を推定するものに限らず、複数の候補を推定するものを含むものとする。
【０００８】
本発明は、また、電子写真情報を撮影場所に基づいて分類する分類手段をさらに備え、前記推定手段が、分類された１又は複数の電子写真情報を単位として移動手段を推定し、前記配置手段が、分類結果に基づいて電子写真を表す情報を配置することを特徴とする。この構成によれば、同一地域、同一領域、同一施設内等で撮影された複数の電子写真をまとめて配置し、そのまとまりを単位として撮影場所間の移動手段を推定、配置することができる。よって、写真や移動手段の情報の配置を、容易に、より整理された効率的なものとすることができる。
【０００９】
本発明は、また、前記分類手段が、地名又はランドマークを基準として電子写真情報を分類することを特徴とする。これによれば、撮影場所による分類をより分かりやすく適切なものとすることができる。
【００１０】
本発明は、また、前記移動手段を表す情報が、電子写真を表す情報の間に配置されるものであって、移動手段の種別を示す図形情報で構成されていることを特徴とする。これによれば、移動手段の種別を直感的に把握できるようになる。また、アルバムを見るときに、移動手段の図形情報が示す旅行の行程に沿って写真を見る順番が誘導されるという効果が得られる。
【００１１】
本発明は、また、前記推定手段が、移動前後の位置情報から求められる直線距離と日時情報から求められる移動時間とに基づいて移動手段を推定することを特徴とする。本発明は、また、前記推定手段が、移動前後の位置情報から求められる経路と日時情報から求められる移動時間とに基づいて移動手段を推定することを特徴とする。これらの構成においては、一方、直線距離と移動時間とから推定する場合には簡易な構成で推定手段を実現することができ、他方、経路と移動時間とから推定する場合にはより精度の高い推定結果を得ることが期待できる。
【００１２】
本発明は、また、前記推定手段が、通信回線を介して提供される２点間の移動経路を探索する移動経路探索手段を利用して移動手段を推定することを特徴とする。移動経路探索手段としては、例えば、インターネット等において本装置の外部で本装置と通信回線を介して接続可能な他のサーバ等によって提供される交通経路探索サービスが考えられる。このような移動経路探索手段を利用することで、構成を複雑化することなく、最新の情報に基づく移動経路の探索結果を利用した移動手段の推定を行うことができる。
【００１３】
また、本発明の他の態様は、撮影場所を示す位置情報と撮影時刻を示す日時情報とを付属情報として電子写真を表す電子写真情報を読み取る読取過程と、２以上の電子写真情報の位置情報と日時情報とを用い、撮影場所間を移動する際に使われたであろうとする移動手段を推定する推定過程と、電子写真を表す情報と移動手段を表す情報とを互いに関連づけて配置する配置過程とを含むことを特徴とする。
【００１４】
また、本発明のさらに他の態様は、撮影場所を示す位置情報と撮影時刻を示す日時情報とを付属情報として電子写真を表す電子写真情報を読み取る読取過程と、２以上の電子写真情報の位置情報と日時情報とを用い、撮影場所間を移動する際に使われたであろうとする移動手段を推定する推定過程と、電子写真を表す情報と移動手段を表す情報とを互いに関連づけて配置する配置過程とをコンピュータを用いて実行させるための記述を含むことを特徴とする。
【００１５】
なお、本発明においては、さらに追加して、または上記の構成に代えて、ａ）読取手段で読み取られた複数の電子写真情報から同一ページに貼り付ける複数の電子写真情報を選択する選択手段、ｂ）複数の地名とその経緯度情報等の位置情報との対応付けを記録したデータベース、ｃ）選択手段で選択された複数の電子写真情報から位置情報を読み出し、その位置情報に対応する地名を、上記データベースから取得し、写真とその撮影場所の地名とを関連付ける「写真とその撮影場所の地名の対応表」を生成する地名取得手段、ｄ）同一ページに貼り付ける複数の写真の地名の数に対応するように地名の数毎に予め作成されているレイアウトテンプレート、ｅ）地名取得手段から得た地名をもって、地名別に写真をグルーピングしたうえ、地名の数に対応したレイアウトテンプレートを用いて、アルバムページに地名別に写真を貼り付け、写真グループと写真グループの間に移動手段の図形表示を作成者に埋め込ませるためのアイコンを配置する手段、ｆ）上記「写真とその撮影場所の地名の対応表」から得た位置情報と撮影時刻の日時情報を用い、使われたであろうとする交通手段等の移動手段を推定し、アイコンの配置位置に貼り付ける移動手段を表すアイコンを含む図形情報を作成者に選択させる手段、ｇ）上記の手順に沿って作られたアルバムページにおいて、地名を修正したり、地名にランドマークやランドマークを示すアイコン等の図形情報を追加したり、旅行中の出来事をメモに書き込んだり、移動手段の図形情報の表示方法を指定したりするための仕上がり手段、のうちの１または複数を設けることができる。
【００１６】
また、推定手段を、移動前後の位置情報から求められる経路と日時情報から求められる移動時間とに基づいて移動手段を推定するものとする場合には、さらに、地図情報からなる地図データベースを用い、そこから得た撮影場所の間を結ぶ道路の長さと移動時間とに基づいて推定を行うようにすることができる。
【００１７】
また、移動手段を表す情報は、向きが回転可能な乗り物の図形情報として、その向きで旅行行程を表すようにすることができる。また、移動手段を表す情報は、乗り物の図形情報と矢印との組み合わせで旅行行程を表すものとすることもできる。さらに、乗り物の図形表示のほかに、アニメーションによる表示を行うようにすることもできる。また、上記ｄ）のレイアウトテンプレートは、あらかじめ用意された地名数別レイアウトテンプレート、もしくはテンプレートデータベースからアルバム作成者が選び出したものとすることができる。
【発明を実施するための最良の形態】
【００１８】
以下、図面を参照して本発明を実施するための最良の形態について説明する。まず、図１を参照して、本実施の形態の電子写真アルバム作成支援装置の構成例について説明する。図１に示す電子写真アルバム作成支援装置は、旅行写真をメイン素材として、複数の撮影場所間の移動手段を示す情報を少なくとも含んだ旅行に係る事項の記録を行い、旅行記の一形態として考えることができる電子写真アルバムを作成するためのシステムである。本実施の形態は、パーソナルコンピュータ（以下、パソコン）等のコンピュータおよびその周辺装置と、そのコンピュータで実行されるプログラムとを用いて実現される。そのコンピュータ上で実行されるプログラムによって実現される機能や、周辺装置を利用して実現される機能が、機能毎にブロックに分けて図１に示されている。
【００１９】
周辺装置には、電子写真撮影用のデジタルカメラ、カメラ機能付きの携帯電話等の電子写真の撮影手段であって、写真撮影時の位置情報を電子写真を示す電子写真情報にその付属情報として組み合わせられるものが含まれているものとする。位置情報としては、ＧＰＳ機能（Global Positioning System機能）によって取得した経度緯度情報（以下経緯度情報とする）、携帯電話等の通信端末で基地局の位置情報等に基づいて推定される位置情報、例えば作成者が手動で入力した地名やランドマーク等の位置情報等が考えられる。ここで本願においてランドマークとは、自然あるいは人工の境界標識、旅行者が位置を知る上で利用する陸上の目印、 陸標、目標物であるとする。また、以下では、複数の電子写真情報を位置情報に基づいて分類する際に「地名」を用いて分類を行うこととしているが、「地名」に代えて、あるいは「地名」とともに、「ランドマーク」を表す情報を用いるようにすることも可能である。また、以下では一例として位置情報として経緯度情報を用いることとする。
【００２０】
図１において、経緯度情報と日時情報を写真に記録する手段１は、例えば、内蔵あるいは着脱自在に装着された記録媒体に撮影した電子写真情報を記録するとともに、ＧＰＳ機能が追加されていて位置情報を取得可能であり、かつ内蔵された電子時計を用いて撮影時刻を記録することができるデジタルスチルカメラである。つまり、経緯度情報と日時情報を写真に記録する手段１の内蔵されたあるいは着脱自在に装着された記録媒体には、電子写真を撮影したときに、自動的に撮影場所の経緯度情報と撮影時刻を表す日時情報が付属情報として電子写真を表す情報とともに記録されるようになっている。そして、ここではそれを使って複数の旅行写真が複数の撮影場所で撮影されているものとする。
【００２１】
例えば旅行後に、これらの写真を経緯度情報および日時情報と共にパソコンに転送して、旅行アルバムを作成する場合には、次のように経緯度情報と日時情報を写真に記録する手段１とパソコンとによる処理が行われる。まず、経緯度情報と日時情報を写真に記録する手段１に記録されている電子写真情報（経緯度情報と日時情報を含む電子写真情報）は、本処理を行うパソコンに内蔵あるいは周辺装置として接続された入出力装置を介して、パソコン内に読み取られる。すなわち、経緯度情報と日時情報を写真に記録する手段１に記録されている電子写真情報は、撮影後に、経緯度情報および日時情報と共にパソコンに転送されて、旅行アルバムを作成する際に用いられることになる。
【００２２】
その際、同一ページに貼り付ける複数の電子写真を選択する選択手段２は、アルバムの各ページに貼り付ける写真を作成者に選択させる。例えば、図２のように、写真のサムネール一覧を表示する画面２０にて、作成者が同一ページに貼り付ける写真をマウスで指定する（破線で囲んだサムネール群２１）。図２の例において、写真のサムネール一覧が表示された画面２０には、赤坂Ｐホテルで撮影した赤坂１〜赤坂４と表記した４枚の写真群２２、六本木Ｈで撮影した六本木１〜六本木３と表記した３枚の写真群２３およびＵ動物園で撮影した上野１〜上野４と表記した４枚の写真群２４が含まれているものとする。以下、東京都内で観光して、赤坂Ｐホテルと六本木ＨおよびＵ動物園の三箇所で取った計１１枚の写真を同一ページに貼り付けることを例として、図１の各機能および処理内容について説明する。
【００２３】
経緯度から地名を得る手段３は、まず、選択された電子写真情報から経緯度情報を読み出し、地名とその経緯度ＤＢ（データベース）４に入力し、経緯度情報を含む地名を地名とその経緯度ＤＢ４から取得する。図３に地名とその経緯度ＤＢ４のデータの構成例を示す。この例では、町名と番地名で表した地名と、その地名に対応する領域（地域）の緯度および経度の最大および最小値とから各データが構成されている。ここで、緯度および経度の最大および最小値は、領域の北端の緯度と南端の緯度、および、東端の経度と西端の経度である。図３の例では、地名として、「赤坂１丁目」、「六本木３丁目」、および「上野４丁目」の各データが含まれている。
【００２４】
経緯度から地名を得る手段３は、次に、地名とその経緯度ＤＢ４から取得した地名を、電子写真の付属情報（経緯度情報と日時情報）とあわせ（照合し）、図４に示すような写真とその撮影場所の地名の対応表３１を作成する。そして、作成した写真とその撮影場所の地名の対応表３１を、写真を地名で分類し、貼り付ける手段５に渡す。
【００２５】
図４は写真とその撮影場所の地名の対応表３１の構成の一例を示す図である。図４に示す例では、写真とその撮影場所の地名の対応表３１内に、同一ページに貼り付ける写真を選択する手段２で選択された各電子写真情報の番号（「写真＃」）に対応させて、撮影日時と、撮影場所の経緯度情報と、地名とが記録されている。電子写真情報の番号は、例えば電子写真情報をパソコンに読み取ったときに、パソコンによって自動的に振られる識別符号である。ここでは、電子写真情報の番号を、図２で用いた「赤坂１」等の表記符号で表している。図４では、写真群２２のうちの「赤坂１」の電子写真に対して、日時「2003/09/01 09:20:15」（年/月/日  時:分:秒）、経緯度「Zzzz.zzz」、地名「赤坂1丁目」が対応付けて記録されている。同様に写真群２３のうちの「六本木１」に対して、日時「2003/09/01 11:30:15」、経緯度「Aaaa.aaa」、地名「六本木3丁目」が対応付けて記録されている。写真群２４のうちの「上野１」に対して、日時「2003/09/01 14:25:15」、経緯度「Bbbb.bbb」、地名「上野4丁目」が対応付けて記録されている。なお、この例では、写真群２２のすべての写真の地名が「赤坂１丁目」であり、写真群２３のすべての写真の地名が「六本木３丁目」であり、そして写真群２４のすべての写真の地名が「上野４丁目」であるとする。
【００２６】
次に、写真を地名で分類し、貼り付ける手段５は、上記の写真とその撮影場所の地名の対応表３１を元に、図５の処理フローにしたがって、写真を地名で分類する処理と、アルバムに貼り付ける処理を行う。すなわち、写真を地名で分類し、貼り付ける手段５は、まず、写真を地名別にグルーピングする（図５のステップＳ１０１〜Ｓ１０６）。次に、地名数別レイアウトテンプレートＤＢ６にあらかじめ用意された地名数別レイアウトテンプレートに沿って、分類された１または複数の電子写真を単位として（ひとまとめにして）各写真をアルバムページに貼り付ける（ステップＳ１０７〜Ｓ１０９）。ここで、地名数別レイアウトテンプレートには、写真グループと次の写真グループの間に移動手段を埋め込ませるためのアイコンが移動回数と同じ個数分、配置されている。
【００２７】
図５に示す処理フローの内容は次の通りである。写真を地名で分類し、貼り付ける手段５は、まず、図４に示す写真とその撮影場所の地名の対応表３１から最初の写真とその地名を読み込む処理を行う（ステップＳ１０１）。次に地名が新しい地名か否かを判定する（ステップＳ１０２）。この場合、最初に読み込んだ写真が写真「赤坂１」であるとすると、写真「赤坂１」の地名「赤坂１丁目」が新しい地名となり、所定の記憶領域に新しい地名（「赤坂１丁目」）の写真グループを追加し、その写真グループに写真（「赤坂１」）を追加する（ステップＳ１０３）。次に写真を全部読み込んだか否かを判定する（ステップＳ１０５）。この場合、まだ全部読み込んでいないとすると、次の写真（例えば「赤坂２」）とその地名が読み込まれる（ステップＳ１０６）。そして、ステップＳ１０２で地名が新しい地名か否かが判定される。この場合、写真「赤坂２」の地名「赤坂１丁目」は新しい地名ではないので、先ほど追加した地名の写真グループ（「赤坂１丁目」の写真グループ）にその写真（「赤坂２」）が追加される（ステップＳ１０４）。
【００２８】
以降、ステップＳ１０２〜ステップＳ１０６の処理が繰り返し行われ、写真とその撮影場所の地名の対応表３１に登録されたすべての写真に対して分類処理が行われる。この場合、分類処理の結果、写真グループ「赤坂１丁目」に図２の写真群２２の各写真が登録され、写真グループ「六本木３丁目」に写真群２３の各写真が登録され、そして、写真グループ「上野４丁目」に写真群２４の各写真が登録される。
【００２９】
次に、写真を地名で分類し、貼り付ける手段５は、地名数を集計する（ステップＳ１０７）。この場合、地名数は、「赤坂１丁目」、「六本木３丁目」、および「上野４丁目」の３個と集計される。写真を地名で分類し、貼り付ける手段５は、次に、地名数別レイアウトテンプレートＤＢ６にアクセスし、集計した地名数（「３」）に対応する地名数別レイアウトテンプレートを取得する（ステップＳ１０８）。ここで、地名数別レイアウトテンプレートＤＢ６は、２以上の複数の地名数に対応する複数種類の地名数別レイアウトテンプレートを記録したべータベースである。
【００３０】
図６は地名数「３」に対応する地名数別レイアウトテンプレート６０の一例を示す図である。地名数別レイアウトテンプレート６０は、アルバムの一ページに対応する表示領域を表すひな形であって、３個の地名に対応する各写真グループ用の写真表示領域６１ａ、６１ｂおよび６１ｃと、文字情報等、他の事項を表示するための領域６２とを表す図形情報を含んで構成されている。ここで、写真表示領域６１ａ、６１ｂおよび６１ｃは、地名等の撮影場所に係る情報を表示するための領域６１１と、１または複数の写真を貼り付けるための領域６１２とから構成されている。他の事項を表示するための領域６２は、このページのタイトル等の文字情報を表示するための領域６２１と、文字等を書き込んで表示するための領域６２２とから構成されている。
【００３１】
地名数別レイアウトテンプレート６０は、また、移動手段を示す情報を埋め込む（貼り付ける）処理を行わせるためのアイコン（表記内容：「？」）６３ａおよび６３ｂを含んでいる。アイコン６３ａは、領域６１ａの写真グループから領域６１ｂの写真グループへ向かって移動する際に用いた移動手段の表示情報を埋め込む位置に配置されていて、アイコン６３ｂは、領域６１ｂの写真グループから領域６１ｃの写真グループへ向かって移動する際に用いた移動手段の表示情報を埋め込む位置に配置されている。
【００３２】
次に、写真を地名で分類し、貼り付ける手段５は、取得した地名数別レイアウトテンプレート６０上で、地名ごとに写真を貼り付ける処理を行う（ステップＳ１０９）。この場合、図７に示すように、写真貼り付け後のアルバムページ６０ａでは、写真表示領域６１ａ、６１ｂおよび６１ｃの各領域に、写真群２２、２３、および２４の各写真が貼り付けられている。
【００３３】
次に写真を地名で分類し、貼り付ける手段５は、図７に示す作成したアルバムページ６０ａと、図４に示す写真とその撮影場所の地名の対応表３１とを、図１の取りうる移動手段を推測し、作成者に確定させる手段７に対して出力する。移動手段を推測し、作成者に確定させる手段７は、写真とその撮影場所の地名の対応表３１とアルバムページ６０ａに示される分類情報とから、各写真グループ間の移動手段の候補を推定し、推定結果を作成者に提示する。そして、提示した候補を用いて作成者が確定した移動手段を図形情報を用いて電子写真を表す情報に関連づけて配置する処理を行う。以下、その処理内容の一例について説明する。
【００３４】
移動手段を推測し、作成者に確定させる手段７は、まず、写真とその撮影場所の地名の対応表３１から、地名をリストアップして、その中から撮影時間が続く二つの写真グループを選び、それらの撮影場所をそれぞれ「出発地」と「到着地」とする。そして、次の手順（１）〜（５）で両地点の間で使われた移動手段を推測する。
【００３５】
（１）「出発地」で最後に取った写真（写真Ａと記す）と「到着地」で最初に取った写真（写真Ｂと記す）を特定する。
【００３６】
（２）写真Ａおよび写真Ｂの経緯度情報をもって、両地点間の直線距離を算出する。
【００３７】
（３）写真Ａおよび写真Ｂの日時情報をもって、両写真の撮影時間の時間差すなわち移動時間を算出する。
【００３８】
（４）（２）で得た直線距離を、（３）で得た時間差で割って、両地点間の移動速度を算出する。
【００３９】
（５）（４）で得た移動速度を図８に示す「速度別移動手段一覧表」７１の各移動手段の平均速度と比較する。移動速度以上の平均時速をもつ移動手段をピックアップして、移動手段の候補とする。ここで図８に示す速度別移動手段一覧表７１は、移動手段の種別毎に移動速度（この場合、平均時速）をまとめた一覧表である。図８の例では、「歩行」、「自転車」、「バス」、「タクシー」に対して、それぞれ「５ｋｍ／ｈ」、「１４ｋｍ／ｈ」、「３０ｋｍ／ｈ」、「６０ｋｍ／ｈ」が対応付けられて登録されている。
【００４０】
さらに、移動手段を確定すべき撮影時間が続く各二つの写真グループのすべてに対して、（１）〜（５）の手順で両地点の間で使われた移動手段を推測する。
【００４１】
次に、すべての移動箇所に対して移動手段の候補を推定した後、作成者によって移動手段を確定させるための処理が行われる。ここで、アルバムの作成者が移動手段を埋め込むためのアイコン（図７のアイコン６３ａ、６３ｂ）をクリックすると、図９（ａ）、（ｂ）に示すような移動手段候補のアイコンリストがポップアップメニューにて表示される。ここで、作成者が正しい移動手段のアイコンを選択すると、各アイコン６３ａ、６３ｂの位置に配置されるべき移動手段が確定される。
【００４２】
図９（ａ）は図７のアイコン６３ａがクリックされたときに表示されるものであって、赤坂と六本木の間の移動手段候補リスト７２ａである。図９（ｂ）は図７のアイコン６３ｂがクリックされたときに表示されるものであって、六本木と上野間の移動手段候補リスト７２ｂである。図９（ａ）のポップアップメニューでは、上から順に歩行（徒歩）、自転車、路線バス、タクシーを選択するためのアイコンであり、ボタン「すべてを表示」７２１が移動手段として考えられるすべての種別を選択するためのアイコンである。図９（ｂ）では上から順にタクシー、路線バス、列車を選択するためのアイコンであり、ボタン「すべてを表示」７２１が移動手段として考えられるすべての種別を選択するためのアイコンである。
【００４３】
図９に示す例で、移動手段候補リスト７２ａと移動手段候補リスト７２ｂを比較すると、移動手段候補リスト７２ａで利用可能と推定される候補に含まれている「歩行」と「自転車」の種別が、移動手段候補リスト７２ｂでは候補に含まれていない。他方、移動手段候補リスト７２ｂで利用可能と推定される候補に含まれている「列車」が、移動手段候補リスト７２ａでは候補に含まれていない。
【００４４】
なお、ボタン「すべてを表示」７２１は、推定された候補に正しい移動手段が含まれていない場合に、他の移動手段候補のアイコンリストをポップアップメニューにて表示するためのアイコンである。このボタン「すべてを表示」７２１をクリックしたときに表示されるポップアップメニューには、例えば、航空機、船、列車等の移動手段の種別を表す情報がアイコンとして表示される。
【００４５】
図１０に移動手段を埋め込んだアルバムページ６０ｃを示す。図１０のアルバムページ６０ｃでは、図７のアイコン６３ａの位置６３ａ１に作成者が確定した「タクシー」を示す図形情報が埋め込まれ、図７のアイコン６３ｂの位置６３ｂ１に作成者が確定した「列車」を示す図形情報が埋め込まれている。なお、移動手段を埋め込んだアルバムページ６０ｃに埋め込まれる移動手段の表示情報は、アイコン（選択することでコマンド等の実行を行うことができる図形情報）としてそれが選択されたときに再度移動手段の選択を行えるような図形情報であってもよいし、コマンド等の実行を伴わない単なる図形情報であってもよい。
【００４６】
なお、移動手段の推定方法については、上記のように移動前後の位置情報から求められる直線距離と日時情報から求められる移動時間とに基づいて移動手段を推定するもののほか、移動前後の位置情報から求められる経路と日時情報から求められる移動時間とに基づいて移動手段を推定するようにしたり、通信回線を介して提供される２点間の移動経路を探索する移動経路探索手段を利用して移動手段を推定するようにしたり、それらを組み合わせるものとしたりすることができる。また、推定の際に通信回線を介して提供される２点間の移動経路を探索する移動経路探索手段を利用する場合には、例えば、インターネット等において本装置の外部で本装置と通信回線を介して接続可能な他のサーバ等によって提供される交通経路探索サービスを利用することができる。また、移動前後の位置情報から求められる経路と日時情報から求められる移動時間とに基づいて移動手段を推定する場合には、さらに、装置内部に設けられたあるいは通信回線を介して接続された地図情報からなる地図データベースを用い、そこから得た撮影場所の間を結ぶ道路の長さと移動時間とに基づいて推定を行うようにしてもよい。
【００４７】
図１の取りうる移動手段を推測し、作成者に確定させる手段７は、以上のようにして移動手段が確定されると、移動手段を埋め込んだアルバムページ６０ｃを、図１の仕上がり手段８に対して出力する。仕上がり手段８は、移動手段を埋め込んだアルバムページ６０ｃに対して、作成者の操作に応じて、地名を修正したり、ランドマークを追加したり、ランドマークを示すアイコン等の図形情報を追加したり、旅行メモを書き込んだり、移動手段アイコン等の図形情報の表示方法を変更・指定したりして、アルバムページを完成するための機能を提供する。図１１に完成したアルバムページ６０ｄの一例を示す。
【００４８】
図１１のアルバムページ６０ｄでは、図１０のアルバムページ６０ｃに対して、写真表示領域６１ａの領域６１１ａの文字が「赤坂１丁目」から「赤坂Ｐホテル」に、写真表示領域６１ｂの領域６１１ｂの文字が「六本木３丁目」から「六本木Ｈ」に、そして写真表示領域６１ｃの領域６１１ｃの文字が「上野４丁目」から「Ｕ動物園」にそれぞれ変更されている。また、領域６１１ａには高層建物を示す図形情報８１ａが、領域６１１ｂにはアンテナ塔を示す図形情報８１ｂが、そして、領域６１１ｃには樹木とベンチを示す図形情報８１ｃがそれぞれ追加されている。さらに、他の事項を表示するための領域６２では、このページのタイトル等の文字情報を表示するための領域６２１に「東京巡り」の文字情報が追加され、文字等を書き込んで表示するための領域６２２には撮影日を表す文字情報「２００３／０９／０１」と旅行メモが書き込まれている。
【００４９】
以上のように、本実施の形態では、旅行写真アルバムをベースに構成する旅行記を作成するにあたって、同一ページに配置する旅行写真を、その撮影場所によってグルーピングしたうえ、撮影場所間で使いうる移動手段を自動的に推定して絞り込み、アルバム作成者に提示することで、旅行事項の記入がしやすくする。そして、アルバムを見る時に、移動手段のアイコン等の図形情報で表される旅行の行程に沿って写真を見る順番を誘導することができる。
【００５０】
次に地名数別レイアウトテンプレートの他の構成例について説明する。上記では図６を参照して、地名数が「３」の場合の地名数別レイアウトテンプレート６０の例について説明した。ここでは、図１２および図１３を参照して地名数が「２」の場合の地名数別レイアウトテンプレート６０ｉおよび６０ｊと、図１４を参照して地名数が「４」の場合の地名数別レイアウトテンプレート６０ｋについて説明する。図１２の地名数別レイアウトテンプレート６０ｉには、２つの写真表示領域６１ｉ１、６１ｉ２と、他の事項を表示するための領域６２と、写真表示領域６１ｉ１、６１ｉ２間に配置された移動手段を埋め込むためのアイコン６３ｉ１が設けられている。図１３の地名数別レイアウトテンプレート６０ｊには、２つの写真表示領域６１ｊ１、６１ｊ２と、他の事項を表示するための領域６２と、写真表示領域６１ｊ１、６１ｊ２間に配置された移動手段を埋め込むためのアイコン６３ｊ１が設けられている。この場合、写真領域の大きさと配置およびアイコンの位置が図１２と図１３で異なっている。そして、図１４の地名数別レイアウトテンプレート６０ｋには、４つの写真表示領域６１ｋ１、６１ｋ２、６１ｋ３、６１ｋ４と、他の事項を表示するための領域６２と、写真表示領域６１ｋ１、６１ｋ２間、６１ｋ２、６１ｋ３間および６１ｋ３、６１ｋ４間に配置された３個の移動手段を埋め込むためのアイコン６３ｋ１〜３とが設けられている。
【００５１】
なお、レイアウトテンプレートとしては、あらかじめ用意された地名数別レイアウトテンプレートに限らず、通信回線等を介して接続される他のテンプレートデータベースからアルバム作成者が選び出したものや、アルバム作成者が図形作成アプリケーションプログラム等を用いて作成したものを用いることができる。
【００５２】
次に図１５を参照して移動手段の種別を表示するためのアイコン等の図形情報の他の例について説明する。図１５（ａ）は、移動手段の種別「自動車」を表す乗り物アイコン１５１と矢印１５２との組み合わせによって移動手段を図形表示する場合の例である。この場合、矢印１５２は、図に向かって左から右の方向を向いている。したがって、この図形情報は、アルバムページにおいて、写真表示領域間の移動方向が左から右の場合に使用される。これによってより的確に移動方向を把握することが可能となる。図１５（ｂ）は、移動手段の種別「船」を表す乗り物アイコン１５３と矢印１５４との組み合わせによって移動手段を図形表示する場合の例である。この場合、矢印１５４は、図に向かって上から下の方向を向いている。したがって、この図形情報は、アルバムページにおいて、写真表示領域間の移動方向が上から下の場合に使用される。
【００５３】
また、移動手段の表示方法としては、例えば移動手段を表す情報を、向きが回転可能な乗り物のアイコン等の図形情報として、その向きで旅行行程を表すようにしてもよい。また、乗り物の図形表示のほかに、アニメーションによる表示を行うようにすることもできる。
【００５４】
また、上記実施の形態では、各写真表示領域間に配置する移動手段を表す情報を、各１つの種別としているが、例えば電車とバスを乗り継いだ場合等に対応するため、複数の種別を表す表示情報を複合させて作成したアイコン等の図形情報を用いた表示を行えるようにしてもよい。
【００５５】
なお、本発明の実施の形態は、上記の構成に限られることなく、例えば図１のブロック図において、各手段を分離あるいは統合したり、あるいは通信回線を介して各手段のデータベースのみを分散して配置したりすることが可能である。また、本発明の電子写真アルバム作成支援装置は、１または複数のコンピュータとコンピュータ上で実行されるプログラムとを用いて実現することができ、そのプログラムは通信回線またはコンピュータ読み取り可能な記録媒体を介して配布することが可能である。
【図面の簡単な説明】
【００５６】
【図１】本発明の実施形態の電子写真アルバム作成支援装置の構成および機能の一例を説明するためのシステム図。
【図２】図１の同一ページに貼り付ける写真を選択する手段２の機能を説明するための表示画面の一例を示す図。
【図３】図１の地名とその経緯度ＤＢ４のデータ構成の一例を示す図。
【図４】図１の経緯度から地名を得る手段３によって作成される「写真とその撮影場所の地名の対応表」の一例を示す図。
【図５】図１の写真を地名で分類し、貼り付ける手段５の処理内容を示すフローチャート。
【図６】図１の地名数別レイアウトテンプレートＤＢ６に登録されている地名数別レイアウトテンプレートの一例を示す図。
【図７】図１の写真を地名で分類し、貼り付ける手段５によって作成されたアルバムページ（中間結果）の一例を示す図。
【図８】図１の取りうる移動手段を推測し、作成者に確定させる手段７で使用される速度別移動手段一覧表の一例を示す図。
【図９】図１の取りうる移動手段を推測し、作成者に確定させる手段７によって提示される移動手段候補リストの一例（図９（ａ））と他の例（図９（ｂ））を示す図。
【図１０】図１の取りうる移動手段を推測し、作成者に確定させる手段７によって作成されたアルバムページ（中間結果）の一例を示す図。
【図１１】図１の仕上がり手段８で作成されたアルバムページの一例を示す図。
【図１２】図１の地名数別レイアウトテンプレートＤＢ６に登録されている地名数別レイアウトテンプレートの他の例を示す図。
【図１３】図１の地名数別レイアウトテンプレートＤＢ６に登録されている地名数別レイアウトテンプレートの他の例を示す図。
【図１４】図１の地名数別レイアウトテンプレートＤＢ６に登録されている地名数別レイアウトテンプレートの他の例を示す図。
【図１５】移動手段の表示例の他の例（図１５（ａ））とさらに他の例（図１５（ｂ））を示す図。
【符号の説明】
【００５７】
１  経緯度データと日時を写真に記録する手段、２  同一ページに貼り付ける写真を選択する手段、３  経緯度から地名を得る手段、４  地名とその経緯度ＤＢ、５  写真を地名で分類し、貼り付ける手段、６  地名数別レイアウトテンプレートＤＢ、７  取りうる移動手段を推測し、作成者に確定させる手段、８  仕上がり手段、１５１、１５３  乗り物アイコン
【図１】
2005136604.tif 000003
【図２】
2005136604.tif 000004
【図３】
2005136604.tif 000005
【図４】
2005136604.tif 000006
【図５】
2005136604.tif 000007
【図６】
2005136604.tif 000008
【図７】
2005136604.tif 000009
【図８】
2005136604.tif 000010
【図９】
2005136604.tif 000011
【図１０】
2005136604.tif 000012
【図１１】
2005136604.tif 000013
【図１２】
2005136604.tif 000014
【図１３】
2005136604.tif 000015
【図１４】
2005136604.tif 000016
【図１５】
2005136604.tif 000017